(57)【特許請求の範囲】
【請求項１】
書画が描かれている表面を有するスクリーン部材と、
前記スクリーン部材の裏面に動画を投影できる投影手段と、
前記投影手段の動作を制御する制御手段と、を備え、
前記書画及び前記動画の画風は互いに同一又は類似であり、
前記制御手段は、前記動画が前記裏面に投影されると前記スクリーン部材の前記表面に前記動画が表示するように前記投影手段を制御することを特徴とする掛け軸システム。
【請求項２】
前記スクリーン部材の表面には、水墨画が描かれていることを特徴とする請求項１に記載の掛け軸システム。
【請求項３】
さらに、観者までの距離情報を取得できる人感センサを備え、前記距離情報に基づき、前記観者が前記スクリーン部材に対し所定距離が閾値を超えていることが前記制御手段により識別されると、前記制御手段は、前記投影手段により投影される前記動画が切り替わるように前記投影手段を制御することを特徴とする請求項１又は２に記載の掛け軸システム。
【請求項４】
前記書画は時計図を含み、
前記制御手段は、時刻情報を取得し、前記投影手段により前記時刻情報が投影されるように前記投影手段を制御することを特徴とする請求項１〜３のいずれか一項に記載の掛け軸システム。
【請求項５】
前記書画は地図を含み、
前記制御手段は、ＧＰＳ情報を取得し、前記動画の内容が前記ＧＰＳ情報に同期し前記動画が投影されるように前記投影手段を制御することを特徴とする請求項１〜４のいずれか一項に記載の掛け軸システム。
【請求項６】
音情報を取得できるマイクロフォンを備え、
前記制御手段は、前記投影手段により投影される前記動画を前記音情報に同期し切り替えるように前記投影手段を制御することを特徴とする請求項１〜５のいずれか一項に記載の掛け軸システム。
【請求項７】
温度情報を取得できる温度センサを備え、
前記制御手段は、前記投影手段により投影される前記動画を前記温度情報に同期し切り替えるように前記投影手段を制御することを特徴とする請求項１〜６のいずれか一項に記載の掛け軸システム。
【請求項８】
傾き情報を取得できる傾きセンサを備え、
前記制御手段は、前記投影手段により投影される前記動画を前記傾き情報に同期し切り替えるように前記投影手段を制御することを特徴とする請求項１〜７のいずれか一項に記載の掛け軸システム。
【請求項９】
音声を生成する音声発生手段を備え、前記制御手段は、前記音声発生手段と前記投影手段とを同期し作動させることを特徴とする請求項１〜８のいずれか一項に記載の掛け軸システム。
【発明の詳細な説明】
【技術分野】
【０００１】
本発明は、掛け軸システムに関し、特に、写真、絵、線画等の各種の模様、文字等を描写した絵画、水墨画、その他写真等の書画が布地や紙に表装された掛け軸を含む掛け軸システムに関するものである。
【背景技術】
【０００２】
従来より、紙や絹に、書や絵画等の書画が描かれた作品である本紙と、本紙が表装されている台紙と、台紙の上端部に装着され壁のフック等に掛ける紐と、を備える掛け軸が広く知られている。しかし、掛け軸は、その紐により壁に引っ掛けられ、展示されている状態では、予め書かれている作品が鑑賞できる静止的な鑑賞対象物である。
【０００３】
特許文献１は、掛け軸を鑑賞する観者に斬新な印象を与えることができるように、台紙の表面と裏面に容易に書画を着脱できる掛け軸を開示する。
【０００４】
また、最近では、被投影物を照明装置の前に配置し、照明装置によって照射光を被投影物に対して照射することによって、被投影物の表面に模様や色等のオブジェクトをマッピングするプロジェクションマッピング装置が利用されている。
【０００５】
例えば、特許文献２は、被投影物がその形状の変化や移動等をしても、被投影物の表面にテクスチャをマッピングできるプロジェクションマッピング装置を開示する。
【先行技術文献】
【特許文献】
【０００６】
【特許文献１】実登3104484号公報
【特許文献２】特開2013-192189号公報
【発明の概要】
【発明が解決しようとする課題】
【０００７】
上述のように、特許文献１は、台紙に対し本紙の交換を容易な掛け軸を提案しているが、静止画的な書や絵画の鑑賞対象物を実現できるに過ぎず、より斬新な視覚効果を提供することが難しい。一方、特許文献２が開示するプロジェクションマッピング装置は、被投影物に動画を表示できるのみで、被投影物自体の表面に表現されている静止画的な書や絵画を活かしておらず被投影物自体の特徴を活かすことが難しい。
【０００８】
本発明は、かかる事情に鑑みてなされたものである。すなわち、本発明は、鑑賞対象物自体に描かれている静止画である書や絵画と、鑑賞対象物に投影される書や動画を融合でき、観者に対し、より斬新な視覚的効果を提供できる掛け軸システムを提供することを目的とする。
【課題を解決するための手段】
【０００９】
上述した課題を解決し、目的を達成するために、本発明の掛け軸システムの第１の態様は、書画が描かれている表面を有するスクリーン部材と、前記スクリーン部材の裏面に動画を投影できる投影手段と、前記投影手段の動作を制御する制御手段と、を備え、前記書画及び前記動画の画風は互いに同一又は類似であり、前記制御手段は、前記動画が前記裏面に投影されると前記スクリーン部材の前記表面に前記動画が表示するように前記投影手段を制御する。
【００１０】
また、本発明の第２の態様によれば、第１の態様の掛け軸システムであって、前記スクリーン部材の表面には、水墨画が描かれていることを。
【００１１】
さらに、本発明の第３の態様によれば、第１又は第２の態様の掛け軸システムであって、観者までの距離情報を取得できる人感センサを備え、前記距離情報に基づき、前記観者が前記スクリーン部材に対し所定距離が閾値を超えていることが前記制御手段により識別されると、前記制御手段は、前記投影手段により投影される前記動画が切り替わるように前記投影手段を制御する。
【００１２】
本発明の第４の態様によれば、第１乃至第３の態様のいずれかの掛け軸システムであって、前記書画は時計図を含み、前記制御手段は、時刻情報を取得し、前記投影手段により前記時刻情報が投影されるように前記投影手段を制御する。
【００１３】
本発明の第５の態様によれば、第１乃至第４の態様のいずれかの掛け軸システムであって、前記書画は地図を含み、前記制御手段は、ＧＰＳ情報を取得し、前記ＧＰＳ情報に同期し前記投影手段により前記動画を投影されるように前記投影手段を制御する。
【００１４】
本発明の第６の態様によれば、第１乃至第５の態様のいずれかの掛け軸システムであって、音情報を取得できるマイクロフォンを備え、前記制御手段は、前記投影手段により投影される前記動画を前記音情報に同期し切り替えるように前記投影手段を制御する。
【００１５】
本発明の第７の態様によれば、第１乃至第６の態様のいずれかの掛け軸システムであって、温度情報を取得できる温度センサを備え、前記制御手段は、前記投影手段により投影される前記動画を前記温度情報に同期し切り替えるように前記投影手段を制御する。
【００１６】
本発明の第８の態様によれば、第１乃至第７の態様のいずれかの掛け軸システムであって、傾き情報を取得できる傾きセンサを備え、前記制御手段は、前記投影手段により投影される前記動画を前記傾き情報に同期し切り替えるように前記投影手段を制御する。
【００１７】
さらに、本発明の第９の態様によれば、第１乃至第８の態様のいずれかの掛け軸システムであって、音声を生成する音声発生手段を備え、前記音声発生手段と前記投影手段とが同期し作動される。
なお、本明細書にける画風とは、動画、画像又は書画における視覚的な印象をいい、動画、画像又は書画に表れた画家または流派の特色や傾向、もしくは、動画、画像又は書画の表現の仕方の特徴や傾向を意味する。
【発明の効果】
【００１８】
本発明に係る掛け軸システムによれば、鑑賞対象物であるスクリーン部材に対し、動画を裏面から投影することにより、鑑賞対象物の表面に描かれている書画である静止画と、鑑賞対象物に投影される静止画又は動画を渾然一体にすることにより、鑑賞対象物を見る観者に対し、より斬新な視覚的効果を提供できる掛け軸システムを実現できる。
【図面の簡単な説明】
【００１９】
【図１】（ａ）は、本発明の第１の実施形態に係る掛け軸システムの正面図であり、（ｂ）は、本発明の第１の実施形態に係る掛け軸システムの裏面図である。
【図２】掛け軸システムによる処理フローを示すフローチャートである。
【図３】（ａ）は、第１の実施形態にかかる第１の動画の一例を示す図であり、（ｂ）は、第１の実施形態にかかる第２の動画の一例を示す図であり、（ｃ）は、第１の実施形態にかかる本紙の一例を示す図である。
【発明を実施するための形態】
【００２０】
〔第１の実施形態〕
以下に、本発明の第１の実施形態である掛け軸システム１について図面を参照しつつ説明する。なお、この実施形態により本発明が限定されるものではない。以下の説明において、同一の構成には、同一の符号を付し、その説明を省略又は簡略化する。
【００２１】
図１（ａ）は、本発明の第１の実施形態に係る掛け軸システム１の正面図であり、図１（ｂ）は、本発明の第１の実施形態に係る掛け軸システム１の裏面図である。なお、図１（ａ）中のインターネット３１、位置検知部３３、コンテンツサーバ３５は、第２の実施形態を構成する構成要素である。
【００２２】
掛け軸システム１は、主として、画仙紙から構成されるスクリーン部材３と、スクリーン部材３の裏面３ｂから動画又は静止画を投射できる投影手段であるプロジェクタ装置５と、既知のプロジェクタ装置５を制御するための制御手段である制御部７と、を備え、制御部７により、プロジェクタ装置５を作動し、スクリーン部材３の表面３ａに動画又は静止画を表示する。
【００２３】
本実施形態では、スクリーン部材３は略四角形状であり、スクリーン部材３の外形寸法より大きい外形寸法を有し、スクリーン部材３の外形寸法より短い内形寸法を有する枠状の台紙１１に貼付されている。台紙１１は、固定具１３、１５により、略四角形状に延在する枠体である枠部材９に固定されている。枠部材９により、掛け軸システム１のスクリーン部材３が所望の位置に載置される。
【００２４】
プロジェクタ装置５は、スクリーン部材３の裏面３ｂ側に配置され、スクリーン部材３の裏面３ｂにプロジェクタ装置５から動画又は静止画が投影される。さらに、掛け軸システム１は、既知の人感センサ１７を備え、人感センサ１７から観者までの距離が所定の閾値を超えたことが後述する制御部７により識別されると、プロジェクタ装置５から投影される画像が切り替えられるように構成されている。
【００２５】
また、図示はしないが、本実施形態は、音声を生成する既知のスピーカ等を有する音声発生手段を備え、音声発生手段は、第１及び第２の動画におけるリス２０１、２０３、２０５、又は木の実２０７の動作に対応した音声情報に基づく音声信号を図示しない当該スピーカ等に送信し、スピーカから音声として出力される。なお、後述の制御部７の記憶手段には、上述の音声情報が記憶されている。
【００２６】
さらに、本実施形態の掛け軸システム１は、プロジェクタ装置５、人感センサ１７、前述の音声発生手段を制御するための制御手段である制御部７を備える。制御部７はプロジェクタ装置５及び人感センサ１７に電気的に連結されている。制御部５０１は、既知のＣＰＵ（Central Processing Unit）、所定のプログラムを格納するＲＯＭ（Read Only Memory）、ＲＡＭ（Random Access Memory）、各種設定値を格納するＥＥＰＲＯＭ（Electrically Erasable and Programmable Read Only Memory）等を備えるともに、ＣＰＵがＲＯＭ等に記憶されている制御プログラムを実行することでプロジェクタ装置５、人感センサ１７及び音声発生手段を作動や駆動するための種々の処理を実行する。
【００２７】
制御部７により、プロジェクタ装置５及び人感センサ１７が作動させるための処理のフローについて、主として図２及び図３（ａ）〜（ｃ）を参照しつつ説明する。り、図２は、掛け軸システム１における処理フローを示すフローチャートであり、図３（ａ）は、第１の実施形態にかかる第１の動画の一例を示す図であり、図３（ｂ）は、第１の実施形態にかかる第２の動画の一例を示す図であり、図３（ｃ）は、第１の実施形態にかかる本紙３の一例を示す図である。
【００２８】
上述したように、掛け軸システム１は、図２に示されるフローチャートで制御手段７により制御される。まず、ステップＳ１０１において、第１の動画（図３（ａ）参照。）が作動されているか否かが識別される。具体的には、本実施形態においては、第２の動画（図３（ｂ）参照。）が投影されていることが制御手段７により識別された場合には、ステップＳ１０９に移行し、第２の動画から第１の動画に変換される。その後、ステップＳ１０１において、第１の動画が投影されていることが識別されると、ステップＳ１０３に移行する。言うまでもないが、掛け軸システム１に初期状態の場合、ステップＳ１０１において、第１の動画が投影されていることが識別されると、ステップＳ１０３に移行する。
【００２９】
ここで、図３（ａ）に示される第１の動画について説明する。図３（ａ）には、リス２０１、２０３、２０５が矢印方向に移動する動画の一時点が示されている。また図３（ａ）に示されていないが、第１の動画では、描かれているリス２０１、２０３、２０５は、それぞれＸ１、Ｙ１、Ｚ１方向に木の実２０７を投げる動作や、木の実を食べる動作を行う。また、第１の動画が、図３（ｃ）に描かれる水墨画に投影された状態では、あたかもリス２０１、２０３、２０５それぞれが、木の枝Ｂ１、Ｂ２、Ｂ３上において木の実２０７を食べる動作や、投げる動作を行うようにスクリーン部材３の表面３ａ上に表示される。また、第１の動画及び第２の動画は、水墨画であたかも描いたような風合いの動画で表現されているので、第１の動画及び第２の動画と、スクリーン部材３の表面３ａに描かれている静止画とに接した観者は、表面３ａ全体として水墨画を見ているような視覚効果を得る。
【００３０】
次のステップＳ１０３において、枠部材９の近傍に配置されている人感センサ１７（図１（ａ）（ｂ）参照。）から制御部７が受ける距離情報に基づき、掛け軸システム１の近くに観者が近づいているか否かが識別される。具体的には、人感センサ１７と観者との距離Ｌが、所定距離と同じ又は短い場合（Ｌ≦Ｃ）、すなわち閾値を超える場合には、ステップＳ１０５に移行し、プロジェクタ装置５から投影される動画が切り替えられ、第２の動画（図３（ｂ）参照。）が投影される。図３（ｂ）に示される第２の動画では、リス２０１、２０３、２０５が、それぞれＸ２、Ｙ２、Ｚ２方向、すなわち図３（ｃ）に描かれる水墨画上において、それぞれ、木の枝Ｂ１、Ｂ２、Ｂ３を登る（又は降りる）方向に移動し、最終的に図３（ｃ）の水墨画から消えることや、木の実２０７を観者方向に投げる動画が投影される。
上述の通り、第２の動画は、水墨画で描いたような風合いの動画で表現されているので、第２の動画と、スクリーン部材３の表面３ａに描かれている静止画とに接した観者は、表面３ａ全体として水墨画を見ているような視覚効果を得る。
【００３１】
一方、ステップＳ１０３において、人感センサ１７により取得する距離情報に基づき、制御部７が閾値を超えていないと識別する場合には、処理フローは、ステップＳ１０５に移行することなく、第１の動画（図３（ａ）参照。）がプロジェクタ装置５により投影されている状態が維持される。
【００３２】
次に、ステップＳ１０７において、人感センサ１７と観者との距離Ｌが、所定距離より長い場合（Ｌ＞Ｃ）の場合、すなわち閾値を超えていないと識別された場合には、ステップＳ１０９に移行し、プロジェクタ装置５から投影される動画が切り替えられ、前述した第１の動画（図３（ａ）参照。）が裏面３ｂに投影される。従って、ステップＳ１０５において、水墨画からリス２０１、２０３、２０５が消えてしまった状態から、リス２０１、２０３、２０５が木の枝Ｂ１、Ｂ２、Ｂ３上に戻り、リス２０１がリス２０３から木の実を受け取ったり、リス２０３、２０５へ投げたりする動作が裏面３ｂに投影される。
【００３３】
このように、スクリーン部材３の表面３ａには、静止画である水墨画が描かれており、スクリーン部材３の裏面３ｂから、水墨画のような色彩から作成された動画である第１及び第２の動画を投影することにより、観者には静止画と動画が融合した視覚効果を奏することができる。なお、第１の動画及び第２の動画は、表面３ａから見た状態において、リス２０１、２０３、２０５、木の実２０７の動画がそれぞれ作成されていることは言うまでもない。
【００３４】
〔第２の実施形態〕
第２の実施形態は、第１の実施形態に係る人感センサ１７の代わりに温度センサ又は傾きセンサを備える構成の掛け軸システムである。既知の温度センサを用いることにより、温度センサが載置される場所の雰囲気温度に応じて、動画を切り替える構成である。また、既知の傾きセンサを用いる構成では、傾きセンサを内蔵する携帯式のコントローラが制御部７に有線又は無線で電気的に接続される。観者が当該コントローラを動かすこと等により、傾きセンサの傾き角度の変化に基づき、制御部７に記憶されている動画が切り替えられ、プロジェクタ装置５により投影される動画が切り替わる構成の掛け軸システムである。
【００３５】
さらに、第１実施形態の人感センサの代わりに、既知のマイクロフォンを備える構成の掛け軸システムも可能である。当該マイクロファンは、制御部７に有線又は無線で電気的に連結され、マイクロフォンにより取得される音情報に基づき、制御部７に記憶されている動画が切り替えられ、プロジェクタ装置５により投影される動画が切り替わる。ここで、音情報には、音の大きさ（音圧）、音程（周波数）、音色や、リズムを含む。
【００３６】
なお、第２の実施形態の構成及び動作は、特に明記しない構成要素及び作動を除き、第１の実施形態に関連した説明した構成及び作動と同じである。また、第１の実施形態では、観者と人感センサ１７との所定距離を閾値に設定しているが、第２の実施形態では、温度センサが設置される場所の所定温度、傾きセンサにより検知される場所の所定角度、マイクロフォンにより取得される場所の音情報の所定値を閾値として設定されることは言うまでもない。
【００３７】
〔変形例〕
変形例１は、上記第１の実施形態に関連して図３（ｃ）に示される木々の水墨画の代わりに、スクリーン部材３の表面３ａに時計を示す線図が水墨画で描かれている。また、制御部７は、既知のリアルタイムクロック（例えば、制御部７としてパーソナルコンピュータ（ＰＣ）を利用する場合、ＰＣに内蔵されている時計、若しくは時刻機能が実装されている集積回路）等を有し、リアルタイムクロックの時刻情報に基づき、プロジェクタ装置５が時刻をスクリーン部材３に投影するように制御する構成である。
【００３８】
なお、プロジェクタ装置５から投影される時刻情報の数字等の文字は、水墨画の画風で作成された字体情報として、予め記憶手段に格納する。又は、水墨画の画風で作成された字体情報は、制御部７とは別体であるコンテンツサーバ３５（図１（ａ）参照。）に格納する構成を採用し、インターネット３１を介し制御部７により当該字体情報を取得し投影する掛け軸システムとすることも可能である。
【００３９】
変形例２は、位置検知部３３、例えばＧＰＳ（Global Positioning System）により位置情報を取得し、当該位置情報に基づき、例えば、図３（ａ）に示されるリス２０３〜２０５が移動する動画をプロジェクタ装置５により投影する構成の掛け軸システムである。この掛け軸システムでは、スクリーン部材３の表面３ａには、地図を示す線図が水墨画で描かれ、インターネット３１を介し位置検知部３３から位置情報が取得され、その位置情報に基づき、例えば、図３（ａ）に示されるリス２０３〜２０５、もしくは水墨画で描かれた人物画などの移動対象物が表面３ａの地図上で移動する動画が投影される。
【００４０】
また、本実施形態及び変形例では、スクリーン部材３の表面３ａに水墨画を描き、動画は水墨画のような色彩から動画を作成する構成としているが、油絵といった西洋画をスクリーン部材３の表面３ａに描き、動画として、西洋画のような色彩から動画を作成する構成とすることも可能である。
【００４１】
なお、本実施形態及び変形例における画仙紙とは、中国製の「本画仙」、日本製の「和画仙」を意味し、従来より、コウゾ、ミツマタ等の靱皮繊維等に必要に応じて粘剤を添加し、かつ抄紙乾燥を行うことにより製造される画仙紙や奉書紙等を意味する。また、画仙紙、さらに奉書紙等は、普通の紙に比べて優れた水分浸透性を備えており、通常、前記紙には墨汁と筆とを用いて書画が描かれる。また、一般的に画仙紙は、書道で使用する半紙よりも大きいサイズの物を意味するが、本明細書において、大きさの限定を意図するものではなく使用する画仙紙、奉書紙等を含むスクリーン部材３の寸法は適宜変更できる。さらに、本発明のスクリーン部材３は、画仙紙に限定されず、その部材の裏面から動画、静止画が投影された場合に、その表面に動画、静止画が表示される性質を有する部材を利用することができる。
【００４２】
本実施形態は、スクリーン部材３が枠状の台紙１１に貼付される構成であるが、動画をスクリーン部材３の表面に透過できる限りにおいて、スクリーン部材３の強度を確保するために補強部材をスクリーン部材３の裏面３ｂに貼付する構成とすることも可能である。
【００４３】
また、第１及び第２の実施形態及び変形例として記載した構成は、それぞれ適宜組み合わせて備える構成の掛け軸システムとすることも可能である。また、第１及び第２の実施形態では、制御部７に予め格納されている動画を用いる構成としているが、変形例の構成のように、コンテンツサーバ３５に格納している動画をインターネット３１を介し取得する動画を投影できる構成とすることも可能である。
【００４４】
以上、本発明の実施形態及び変形例について説明したが、本発明はこれらの実施形態に限定されず、その要旨の範囲内で種々の変形及び変更が可能である。
【符号の説明】
【００４５】
１  掛け軸システム
３  スクリーン部材
３ａ  表面
３ｂ  裏面
５  プロジェクタ装置、投影手段
７  制御部  制御手段
９  枠部材
Ｂ１、Ｂ２、Ｂ３  木の枝
１１  台紙
１３、１５  固定具
１７  人感センサ
２０１、２０３、２０５  リス
２０７  木の実
５０１  制御部
【要約】
【課題】鑑賞対象物自体に描かれている静止画である書や絵画と、鑑賞対象物に投影される書や動画を融合でき、観者に対し、より斬新な視覚的効果を提供できる掛け軸システムを提供すること。
【解決手段】掛け軸システム１は、書画が描かれている表面３ａを有するスクリーン部材３と、前記スクリーン部材３の裏面３ｂに動画を投影できる投影手段５と、投影手段の動作を制御する制御手段５と、を備え、書画及び動画の画風は互いに同一又は類似であり、制御手段５は、前記動画が裏面３ｂに投影されるとスクリーン部材３の表面３ａに前記動画が表示するように投影手段５を制御する。
【選択図】図１【図１】
0006661099.tif 000002
【図２】
0006661099.tif 000003
【図３】
0006661099.tif 000004